(57)【要約】【課題】  ユーザが停止操作を行わずに鑑賞を中断した場合であっても、中断したところから鑑賞を再開可能にする。【解決手段】  音楽データを再生する光ディスク再生装置２において、音楽データを再生している間に、ユーザが音楽鑑賞を中断したことがヘッドフォン３又は椅子４により、前記ユーザが音楽鑑賞を中断したことが検出された場合、現在再生している前記音楽データの再生点を記憶すると共に前記音楽データの再生を停止し、次の再生時に前記再生点からの再生を行う。【選択図】      図５
2005277543.tif 000002
【特許請求の範囲】
【請求項１】
マルチメディアデータを再生するマルチメディア再生装置において、
ユーザがマルチメディア鑑賞を中断したことを検出する鑑賞状態検出手段と、
前記マルチメディアデータを再生している間に、前記鑑賞状態検出手段により、前記ユーザがマルチメディア鑑賞を中断したことが検出された場合、現在再生している前記マルチメディアデータの再生点を記憶すると共に前記マルチメディアデータの再生を停止する再生制御手段とを備え、
次の再生時に前記再生点からの再生を可能にした
ことを特徴とするマルチメディア再生装置。
【請求項２】
前記鑑賞状態検出手段は、前記ユーザが前記マルチメディア鑑賞を再開可能になったことを更に検出し、
前記再生制御手段は、
前記マルチメディアデータを再生している間に、前記鑑賞状態検出手段により、前記ユーザがマルチメディア鑑賞を中断したことが検出された場合、現在再生している前記マルチメディアデータの再生点を記憶すると共に前記マルチメディアデータの再生を停止し、
前記鑑賞状態検出手段により、前記ユーザが前記マルチメディア鑑賞を再開可能になったことが検出されたときに、前記再生点からの再生を開始する
ことを特徴とする請求項１に記載のマルチメディア再生装置。
【請求項３】
前記鑑賞状態検出手段は、
前記ユーザの体動を検出する体動検出手段を備え、
前記体動検出手段の検出結果に基づいて、前記ユーザがマルチメディア鑑賞を中断したこと、及び、前記ユーザがマルチメディア鑑賞を再開可能になったことを検出する
ことを特徴とする請求項２に記載のマルチメディア再生装置。
【請求項４】
前記鑑賞状態検出手段は、
前記体動検出手段により前記ユーザの頭部の傾動、或いは、前記ユーザの瞼の開閉運動を検出して、前記ユーザが眠ったこと、及び、前記ユーザが眠りから覚めたことを検出する
ことを特徴とする請求項３に記載のマルチメディア再生装置。
【請求項５】
前記鑑賞状態検出手段は、
前記ユーザの生体情報を検出する生体情報検出手段を備え、
前記生体情報検出手段の検出結果に基づいて、前記ユーザがマルチメディア鑑賞を中断したこと、及び、前記ユーザがマルチメディア鑑賞を再開可能になったことを検出する
ことを特徴とする請求項２に記載のマルチメディア再生装置。
【請求項６】
前記鑑賞状態検出手段は、
前記生体情報検出手段により前記ユーザの脈拍数を検出して、前記ユーザが眠ったこと、及び、前記ユーザが眠りから覚めたことを検出する
ことを特徴とする請求項５に記載のマルチメディア再生装置。
【請求項７】
前記鑑賞状態検出手段は、
前記ユーザが鑑賞位置に居るか否かを検出するユーザ検出手段を備え、
前記ユーザ検出手段の検出結果に基づいて、前記ユーザがマルチメディア鑑賞を中断したこと、及び、前記ユーザがマルチメディア鑑賞を再開可能になったことを検出する
ことを特徴とする請求項２に記載のマルチメディア再生装置。
【請求項８】
マルチメディアを再生するマルチメディア再生装置と、
ユーザがマルチメディア鑑賞を中断したことを検出して前記マルチメディア再生装置に送信する鑑賞状態検出装置とを備え、
前記マルチメディア再生装置は、
前記マルチメディアデータを再生している間に、前記鑑賞状態検出装置により、前記ユーザがマルチメディア鑑賞を中断したことが検出された場合、現在再生している前記マルチメディアデータの再生点を記憶すると共に前記マルチメディアデータの再生を停止し、次の再生時に前記再生点からの再生を可能にした
ことを特徴とするマルチメディア再生システム。
【請求項９】
前記鑑賞状態検出装置は、前記マルチメディア再生装置から出力された音声信号に基づいて音を出力するユーザ装着型のヘッドフォンに内蔵され、
前記ユーザの頭部の傾動を検出する体動検出手段を備え、
前記体動検出手段の検出結果に基づいて、前記ユーザが眠ったことを検出する
ことを特徴とする請求項８に記載のマルチメディア再生システム。
【請求項１０】
前記鑑賞状態検出装置は、前記ユーザがマルチメディア鑑賞の際に着席する椅子に内蔵され、
前記ユーザの離席を検出する着座検出手段を備える
ことを特徴とする請求項８に記載のマルチメディア再生システム。
【請求項１１】
マルチメディアデータを再生するマルチメディア再生装置から出力された音声信号に基づいて音を出力するユーザ装着型のヘッドフォンにおいて、
前記マルチメディア再生装置と通信する通信手段と、
ユーザの頭部の傾動を検出する体動検出手段とを備え、
前記体動検出手段により前記ユーザが眠ったときの前記頭部の傾動を検出して前記マルチメディア再生装置に送信する
ことを特徴とするヘッドフォン。
【請求項１２】
マルチメディア再生装置によって再生されるマルチメディアの鑑賞用の椅子において、
前記マルチメディア再生装置と通信する通信手段と、
ユーザの離席を検出する着座検出手段とを備え、
前記着座検出手段により前記ユーザの離席を検出して前記マルチメディア再生装置に送信する
ことを特徴とする椅子。
【発明の詳細な説明】
【技術分野】
【０００１】
本発明は、音楽や映画等のマルチメディアデータを再生する再生技術に関する。
【背景技術】
【０００２】
従来から、音楽や映画等のマルチメディアデータ等が記録された光ディスクを再生する再生装置が知られている（例えば、特許文献１参照）。
【特許文献１】特開２００１−８４７３８号公報
【発明の開示】
【発明が解決しようとする課題】
【０００３】
しかしながら、鑑賞者（ユーザ）が、マルチメディア再生中に途中で眠ってしまった場合、或いは、再生を停止させるのを忘れて、その場を離れてしまった場合等、ユーザが停止操作を行わずに鑑賞を中断した場合には、再生装置は再生を続けることとなる。従って、鑑賞者が鑑賞を再開する際には、どこまで鑑賞したか記憶を辿りながら、光ディスクの早送りや巻き戻しを行い、中断した箇所を探し当てた後に、再生を開始しなければならかった。
【０００４】
本発明は、上述した事情に鑑みてなされたものであり、ユーザが停止操作を行わずに鑑賞を中断した場合であっても、中断したところから鑑賞を再開することのできるマルチメディア再生装置、マルチメディア再生システム、このマルチメディア再生システムに用いて好適なヘッドフォン及び椅子を提供することを目的とする。
【課題を解決するための手段】
【０００５】
上記目的を達成するために、本発明は、マルチメディアデータを再生するマルチメディア再生装置において、ユーザがマルチメディア鑑賞を中断したことを検出する鑑賞状態検出手段と、前記マルチメディアデータを再生している間に、前記鑑賞状態検出手段により、前記ユーザがマルチメディア鑑賞を中断したことが検出された場合、現在再生している前記マルチメディアデータの再生点を記憶すると共に前記マルチメディアデータの再生を停止する再生制御手段とを備え、次の再生時に前記再生点からの再生を可能にしたことを特徴とする。
【０００６】
また本発明は、上記発明において、前記鑑賞状態検出手段は、前記ユーザが前記マルチメディア鑑賞を再開可能になったことを更に検出し、前記再生制御手段は、前記マルチメディアデータを再生している間に、前記鑑賞状態検出手段により、前記ユーザがマルチメディア鑑賞を中断したことが検出された場合、現在再生している前記マルチメディアデータの再生点を記憶すると共に前記マルチメディアデータの再生を停止し、前記鑑賞状態検出手段により、前記ユーザが前記マルチメディア鑑賞を再開可能になったことが検出されたときに、前記再生点からの再生を開始することを特徴とする。
【０００７】
また本発明は、上記発明において、前記鑑賞状態検出手段は、前記ユーザの体動を検出する体動検出手段を備え、前記体動検出手段の検出結果に基づいて、前記ユーザがマルチメディア鑑賞を中断したこと、及び、前記ユーザがマルチメディア鑑賞を再開可能になったことを検出することを特徴とする。
【０００８】
また本発明は、上記発明において、前記鑑賞状態検出手段は、前記体動検出手段により前記ユーザの頭部の傾動、或いは、前記ユーザの瞼の開閉運動を検出して、前記ユーザが眠ったこと、及び、前記ユーザが眠りから覚めたことを検出することを特徴とする。
【０００９】
また本発明は、上記発明において、前記鑑賞状態検出手段は、前記ユーザの生体情報を検出する生体情報検出手段を備え、前記生体情報検出手段の検出結果に基づいて、前記ユーザがマルチメディア鑑賞を中断したこと、及び、前記ユーザがマルチメディア鑑賞を再開可能になったことを検出することを特徴とする。
【００１０】
また本発明は、上記発明において、前記鑑賞状態検出手段は、前記生体情報検出手段により前記ユーザの脈拍数を検出して、前記ユーザが眠ったこと、及び、前記ユーザが眠りから覚めたことを検出することを特徴とする。
【００１１】
また本発明は、上記発明において、前記鑑賞状態検出手段は、前記ユーザが鑑賞位置に居るか否かを検出するユーザ検出手段を備え、前記ユーザ検出手段の検出結果に基づいて、前記ユーザがマルチメディア鑑賞を中断したこと、及び、前記ユーザがマルチメディア鑑賞を再開可能になったことを検出することを特徴とする。
【００１２】
上記目的を達成するために、本発明は、マルチメディアを再生するマルチメディア再生装置と、ユーザがマルチメディア鑑賞を中断したことを検出して前記マルチメディア再生装置に送信する鑑賞状態検出装置とを備え、前記マルチメディア再生装置は、前記マルチメディアデータを再生している間に、前記鑑賞状態検出装置により、前記ユーザがマルチメディア鑑賞を中断したことが検出された場合、現在再生している前記マルチメディアデータの再生点を記憶すると共に前記マルチメディアデータの再生を停止し、次の再生時に前記再生点からの再生を可能にしたことを特徴とするマルチメディア再生システムを提供する。
【００１３】
また本発明は、上記発明において、前記鑑賞状態検出装置は、前記マルチメディア再生装置から出力された音声信号に基づいて音を出力するユーザ装着型のヘッドフォンに内蔵され、前記ユーザの頭部の傾動を検出する体動検出手段を備え、前記体動検出手段の検出結果に基づいて、前記ユーザが眠ったことを検出することを特徴とする。
【００１４】
また本発明は、上記発明において、前記鑑賞状態検出装置は、前記ユーザがマルチメディア鑑賞の際に着席する椅子に内蔵され、前記ユーザの離席を検出する着座検出手段を備えることを特徴とする。
【００１５】
上記目的を達成するために、本発明は、マルチメディアデータを再生するマルチメディア再生装置から出力された音声信号に基づいて音を出力するユーザ装着型のヘッドフォンにおいて、前記マルチメディア再生装置と通信する通信手段と、ユーザの頭部の傾動を検出する体動検出手段とを備え、前記体動検出手段により前記ユーザが眠ったときの前記頭部の傾動を検出して前記マルチメディア再生装置に送信することを特徴とする。
【００１６】
上記目的を達成するために、本発明は、マルチメディア再生装置によって再生されるマルチメディアの鑑賞用の椅子において、前記マルチメディア再生装置と通信する通信手段と、ユーザの離席を検出する着座検出手段とを備え、前記着座検出手段により前記ユーザの離席を検出して前記マルチメディア再生装置に送信することを特徴とする。
【発明の効果】
【００１７】
本発明によれば、ユーザが停止操作を行わずに鑑賞を中断した場合であっても、中断したところから鑑賞を再開することができる。
【発明を実施するための最良の形態】
【００１８】
以下図面を参照して本発明の実施の形態について説明する。以下の説明では、マルチメディアデータを再生する装置として、ＤＶＤ（Digital Versatile Disk）やＣＤ（Compact Disc）等の光ディスクに記録された音楽データを再生する光ディスク再生装置について例示する。
【００１９】
図１は、本実施形態に係るマルチメディア再生システム１の構成を模式的に示す図である。この図に示すように、マルチメディア再生システム１は、光ディスク再生装置２と、ユーザに装着され、光ディスク再生装置２から出力された音声信号に基づいて音を出力するヘッドフォン３と、ユーザが腰掛ける椅子４とを備え、これらが互いに通信可能になされている。本実施の形態では、この通信に、近距離無線通信方式の１つであるBluetooth（登録商標）に準拠した通信規格を用いている。
【００２０】
図２は、光ディスク再生装置２の機能的構成を示すブロック図である。この図において、制御部２０は、光ディスク再生装置２の各部を制御するものであり、ＭＰＵ等を備えている。光ディスク再生部２１は、制御部２０の制御の下、光ディスクに記録されているマルチメディアデータを読み取り、制御部２０に出力するものであり、光ディスクドライブや、当該光ドライブを駆動する駆動回路等を備えている。記憶部２２は、各種の制御プログラムやデータを記憶するＲＯＭや、制御部２０のワークエリアとして用いられるＲＡＭ等のメモリを備えている。
【００２１】
信号出力部２３は、光ディスクに記録されているマルチメディアデータに基づいた音声信号を出力するものであり、上記ヘッドフォン３が有線にて接続される接続端子等を備えている。また、音声信号を無線通信にて送る場合、信号出力部２３の出力信号が無線通信部２６へ入力される。また、操作部２４は、ユーザの指示操作を受け付け、制御部２０に出力するものであり、電源ボタンや再生ボタン等の複数の操作ボタンを有している。表示部２５は、制御部２０の制御の下、再生中の音楽タイトルやトラック番号等の各種の情報を表示するものである。無線通信部２６は、上記ヘッドフォン３及び椅子４と無線通信するものであり、ヘッドフォン３及び椅子４からの通信データを受信して制御部２０に出力する。
【００２２】
図３は、ヘッドフォン３の機能的構成を示すブロック図である。この図において、制御部３０は、当該ヘッドフォン３の各部を制御するものであり、ＭＰＵ等を備えている。音声信号入力・放音部３１は、上記光ディスク再生装置２の信号出力部２３から出力された音声信号に基づいて音を出力するものであり、この音声信号が入力される入力端子や、音声信号に基づいて音を出力するスピーカ装置等を備えている。また、音声信号を無線通信にて受ける場合は、無線通信部３３より音声信号が出力され、音声信号入力・放音部３１へ入力される。傾き検出部３２は、ユーザが眠ったことを検出すべく、当該ユーザの頭の傾きを検出するものであり、角度センサを備え、検出信号を制御部３０に出力する。無線通信部３３は、制御部３０の制御の下、上記光ディスク再生装置２との間で無線通信するものである。
【００２３】
このような構成の下、ヘッドフォン３の制御部３０は、傾き検出部３２から出力された検出信号に基づいてユーザの頭の傾斜角度を検出し、この傾斜角度に基づいてユーザが眠ったこと、及び、眠りから覚めたことを検知し、眠り情報として無線通信部３３を介して光ディスク再生装置２に送信する。
【００２４】
図４は、椅子４の機能的構成を示すブロック図である。この図において、制御部４０は、当該椅子４の各部を制御するものであり、ＭＰＵ等を備えている。着席・離席検出部４１は、ユーザが椅子４に着席しているか否かを検出し、検出信号を制御部４０に出力するものである。具体的には、着席・離席検出部４１は、椅子４の座に内蔵される押下式スイッチを備え、ユーザが椅子４に着席した場合には押下式スイッチがＯＮとなり、ＯＮ信号を制御部４０に出力すると共に、ユーザが離席した場合には押下式スイッチがＯＦＦとなり、ＯＦＦ信号を制御部４０に出力する。無線通信部４２は、制御部４０の制御の下、上記光ディスク再生装置２との間で無線通信するものである。
【００２５】
このような構成の下、椅子４の制御部４０は、着席・離席検出部４１から出力された検出信号に基づいて、ユーザが椅子４から離席したこと、及び、ユーザが着席したことを検知し、着座情報として無線通信部３３を介して光ディスク再生装置２に送信する。
【００２６】
次いで、本実施形態の光ディスク再生装置２の動作について説明する。本マルチメディア再生システム１においては、光ディスク再生装置２が音楽を再生している間に、ユーザが眠ったり、或いは、ユーザが椅子４から離席する等して、ユーザが音楽鑑賞を中断した場合に、光ディスク再生装置２は、現在再生している音楽の再生点を記憶すると共に音楽再生を停止し、また、ユーザが眠りから覚めたり、或いは、ユーザが椅子４に着席する等して、ユーザが音楽鑑賞を再開可能となった場合に、上記再生点から音楽再生を再開する。
【００２７】
具体的には、図５に示すように、光ディスク再生装置２の制御部２０は、操作部２４が操作される等して光ディスクの再生が指示されると、当該光ディスクから音楽データを読み取り、当該音楽データに基づく音声信号をヘッドフォン３に出力して、音楽の再生を行う（ステップＳ１）。そして、制御部２０は、音楽再生の間に、ユーザが眠ったか、或いは、椅子４から離席したか否かの判断を間欠的に継続して実行する（ステップＳ２）。具体的には、制御部２０は、ユーザが眠ったことを示す眠り情報をヘッドフォン３から受信したか、或いは、ユーザの離席を示す着座情報を椅子４から受信したか否かを判断する。そして、ユーザが眠った場合、或いは、椅子４から離席した場合（ステップＳ２：ＹＥＳ）、制御部２０は、現在再生している音楽データのうち、どこまで再生されているかを示す再生点を光ディスク再生部２１から取得して記憶部２２に記録した後（ステップＳ３）、音楽の再生を停止する（ステップＳ４）。
【００２８】
これにより、ユーザが音楽鑑賞の途中で眠ってしまった場合、又は、離席した場合に、音楽の再生が自動的に停止されると共に、どこまで再生されているかが記録されることとなる。
【００２９】
次いで、制御部２０は、ユーザが眠りから覚めて起きたか、或いは、椅子４に着席したか否かの判断を間欠的に継続して実行する（ステップＳ５）。具体的には、制御部２０は、ユーザが眠りから覚めて起きたことを示す眠り情報をヘッドフォン３から受信したか、或いは、ユーザの着席を示す着座情報を椅子４から受信したかを判断する。そして、ユーザが起きた場合、或いは、椅子４に着席した場合（ステップＳ５：ＹＥＳ）、制御部２０は、ステップＳ３において記録した再生点を記憶部２２から読み出し、当該再生点からの音楽再生を光ディスク再生部２１に指示し、再生点からの音楽再生を開始する（ステップＳ６）。そして、制御部２０は、再度、ユーザの眠り及び離席を監視すべく、処理手順をステップＳ２に戻す。
【００３０】
このように、本実施の形態によれば、光ディスク再生装置２は、音楽を再生している間に、ユーザが眠ったり、或いは、ユーザが椅子４から離席する等して、ユーザが音楽鑑賞を中断した場合に、現在再生している音楽の再生点を記憶して音楽再生を一旦停止し、ユーザが眠りから覚めたり或いはユーザが椅子４に着席する等して、ユーザが音楽鑑賞を再開可能となった場合に、上記再生点から音楽再生を再開する構成としたため、ユーザが眠ってしまったり椅子４から離れる等して、停止操作を行わずに音楽鑑賞を中断した場合であっても、ユーザが起きたとき、或いは、椅子４に戻ったときに、中断した箇所から音楽を鑑賞を再開することができる。
【００３１】
さらに、本実施の形態によれば、ユーザが音楽鑑賞を中断した場合、音楽再生を停止する構成としたため、消費電力を抑えることが可能となる。
【００３２】
また、本実施の形態によれば、ヘッドフォン３がユーザの頭部の傾動に基づいて当該ユーザが眠った状態、及び、眠りから覚めた状態を検出して、上記光ディスク再生装置２に送信する構成としたため、ユーザが音楽鑑賞中に意図せずに眠ってしまった場合であっても、光ディスク再生装置２が自動で停止され、尚且つ、眠りから覚めたときに、その続きから音楽を鑑賞することができ、以って、光ディスク再生装置２の利便性を向上させることができる。
【００３３】
また、本実施の形態によれば、椅子４が、音楽鑑賞中のユーザの着席及び離席を検出し、上記光ディスク再生装置２に送信する構成としたため、ユーザは、音楽鑑賞中に椅子４から離席する場合に、わざわざ停止操作等をせずとも、音楽再生が自動で停止され、また、再度、椅子４に着席すれば、特に再生操作をせずとも、停止された続きの音楽を鑑賞することができ、以って、光ディスク再生装置２の利便性を向上させることができる。
【００３４】
なお、上述した実施の形態は、あくまでも本発明の一態様を示すものであり、本発明の範囲内で任意に変形可能である。そこで、各種の変形例について以下に説明する。
【００３５】
（変形例１）上述した実施の形態では、マルチメディア再生装置として、ＤＶＤやＣＤ等の光ディスクを再生する装置について例示したが、これに限らず、ＭＤ（ミニディスク（登録商標））や音楽テープ、ビデオテープ、インターネット等の電気通信回線を介して受信したマルチメディアデータを再生する装置であっても良い。また、上述した実施の形態では、マルチメディアとして音楽データを例示したが、これに限らず、音声付或いは音声無しの動画像データであっても良い。
【００３６】
（変形例２）上述した実施の形態では、ユーザがマルチメディア鑑賞を中断した状態、及び、前記ユーザがマルチメディア鑑賞を再開し得る状態を、ヘッドフォン３及び椅子４の両方を用いて検出する構成としたが、これに限らず、ヘッドフォン３のみ、或いは、椅子４のみにより検出する構成としても良い。
【００３７】
（変形例３）上述した実施の形態では、ユーザが眠ったこと、及び、眠りから覚めたことを、ユーザの頭部の傾動に基づいて検出する構成について例示したが、これに限らず、ユーザの体動の一例たる眼球運動に基づいて検出する構成としても良く、また、同じくユーザの体動の一例たる瞼の開閉動作に基づいて検出する構成としても良い。さらに、ユーザが眠ったこと、及び、眠りから覚めたことを、ユーザの体動に基づいて検出する構成に限らず、例えば、ユーザの脈拍数等の生体情報の変化に基づいて検出する構成としても良い。
【００３８】
（変形例４）上述した実施の形態では、ユーザが鑑賞位置に居るか否かを椅子４の着座に基づいて検出する構成としたが、これに限らず、例えば、対物センサ等を用いて検出する構成としても良い。また、カメラ等によって上記鑑賞位置を撮像し、撮像データを画像処理することで、ユーザが鑑賞位置に居るか否かを検出する構成としても良い。
【００３９】
（変形例５）上述した実施の形態では、光ディスク再生装置２とヘッドフォン３及び椅子４との通信を無線通信により実施する構成について例示したが、これに限らず、有線通信により実施する構成としても良い。また、無線通信方式としては、Bluetooth（登録商標）に限らず、無線ＬＡＮ等の他の無線通信方式を用いる構成としても良い。
【００４０】
（変形例６）上述した実施の形態では、音楽（マルチメディア）を鑑賞するユーザが一人の場合について例示したが、これに限らず、上記光ディスク再生装置２が複数のヘッドフォン３或いは椅子４と通信可能に構成し、複数人が音楽（マルチメディア）を鑑賞可能にしても良い。
【００４１】
特に、この構成において、複数のヘッドフォン３或いは椅子４の各々に予め識別ＩＤを割り当てると共に、当該識別ＩＤを光ディスク再生装置２の記憶部２２等に記憶させておき、ユーザが鑑賞を中断したことを示す通信データを、複数のヘッドフォン３或いは椅子４の何れかから光ディスク記録装置２が受信したときには、当該通信データを送信したヘッドフォン３或いは椅子４の識別ＩＤと現在の再生点とを対応付けて記憶すると共に、再生停止を行わずに再生を継続する構成とすることで、その中断したユーザは、記憶された再生点に基づいて後に続きを鑑賞することが可能となると共に、他のユーザの鑑賞が中断されるのを防止可能となる。
【００４２】
（変形例７）上述した実施の形態では、ユーザが音楽（マルチメディア）鑑賞を再開し得る状態が検出された場合に、光ディスク再生装置２が、再生点からの再生を開始して、続きの鑑賞を可能にする構成について例示したが、これに限らない。すなわち、ユーザが音楽（マルチメディア）鑑賞を再開し得る状態が検出された場合に、光ディスク再生装置２が、音声等により、再生点からの再生を行うか否かの問い合わせを行い、その問い合わせに対するユーザの応答操作に応じて、再生点からの再生を開始する構成としても良い。
【００４３】
また、ユーザが音楽（マルチメディア）鑑賞を再開し得る状態を検出する構成に代えて、光ディスク再生装置２の操作部２４に、再生点からの再生の再開を指示するための操作ボタン等を設け、当該操作ボタンが操作された場合に、再生点からの再生を開始する構成としても良い。
【００４４】
（変形例８）上述した実施の形態では、音楽（マルチメディア）再生中に、ユーザが鑑賞を中断した場合、光ディスク再生装置２は、ユーザが音楽（マルチメディア）鑑賞を再開し得る状態が検出された否かを継続して判断する構成としたが、これに限らない。すなわち、音楽（マルチメディア）再生中に、ユーザが鑑賞を中断した場合、光ディスク再生装置２は、現在のマルチメディアの再生点を記憶した後に、電源を切断すると共に、次に電源が投入されたときに、記憶されている再生点からマルチメディアの再生を行う構成としても良い。なお、この構成において、光ディスク再生装置２が再生点からの再生を行う際に、ユーザに対して、再生点からの再生を行うか否かを問い合わせ、その応答指示に応じて、再生点からの再生を実行する構成としても良いことは勿論である。
【図面の簡単な説明】
【００４５】
【図１】本発明の実施形態に係るマルチメディア再生システムの構成を模式的に示す図である。
【図２】光ディスク再生装置の機能的構成を示すブロック図である。
【図３】ヘッドフォンの機能的構成を示すブロック図である。
【図４】椅子の機能的構成を示すブロック図である。
【図５】再生処理のフローチャートである。
【符号の説明】
【００４６】
１  マルチメディア再生システム
２  光ディスク再生装置（マルチメディア再生装置）
３  ヘッドフォン
４  椅子
２０  制御部（再生制御手段）
３２  傾き検出部（体動検出手段）
４１  着席・離席検出部（ユーザ検出手段）
２６、３３、４２  無線通信部（通信手段）
【図１】
2005277543.tif 000003
【図２】
2005277543.tif 000004
【図３】
2005277543.tif 000005
【図４】
2005277543.tif 000006
【図５】
2005277543.tif 000007